【事件の表示】
　特許第２８１１５７９号「パチンコ機の入賞装置」の請求項１に係る特許に対する特許異議の申立てについて、次のとおり決定する。
【結　論】
　訂正を認める。
　特許第２８１１５７９号の請求項１に係る特許を維持する。
【理　由】
１．手続の経緯
　本件特許第２８１１５７９号の請求項１に係る発明（以下、「本件請求項１に係る発明」という。）についての出願は、平成１年４月２０日に出願され、平成１０年８月７日にその発明について特許権の設定登録がなされ、その後、その特許について、平成１１年４月１５日に異議申立人上田実より特許異議の申立てがなされ、平成１１年７月２日（発送日）に取消理由通知がされ、その指定期間内である平成１１年８月３１日に特許異議意見書と共に訂正請求書が提出されたものである。
　　　　
２．訂正の適否についての判断
（１）訂正の内容
　特許権者が求めている訂正の内容は、下記の訂正事項ａ〜ｃのとおりである。
　i．訂正事項ａ
　平成１０年４月２７日付の手続補正書により全文補正された特許明細書の特許請求の範囲の請求項１に係る記載
「パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に貯留されているパチンコ球を前記棚板上に開放する可動部材とを備えたことを特徴とするパチンコ機の入賞装置。」を、
「パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、前記貯留部が、パチンコ球の一時的な貯留が可能である突出する位置とパチンコ球の貯留が不可能である退避する位置とに変動する球径路変動片を有していることを特徴とするパチンコ機の入賞装置。」と訂正する。
　ii．訂正事項ｂ
　同特許明細書の３頁３〜８行に記載の「本発明のパチンコ機の入賞装置は、パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に貯留されているパチンコ球を前記棚板上に開放する可動部材とを備えたことを特徴とする構成を有する。」を、
「本発明のパチンコ機の入賞装置は、パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、前記貯留部が、パチンコ球の一時的な貯留が可能である突出する位置とパチンコ球の貯留が不可能である退避する位置とに変動する球径路変動片を有していることを特徴とする構成を有する。」と訂正する。
　iii．訂正事項ｃ
　同特許明細書の６頁２０行に記載の「球経路変動片４３」を「球径路変動片４３」と訂正する。
　　　　
（２）訂正の目的の適否、新規事項の有無及び拡張・変更の存否
　上記訂正事項ａは、特許明細書の特許請求の範囲に記載されている「貯留部」をさらに限定し「前記貯留部が、パチンコ球の一時的な貯留が可能である突出する位置とパチンコ球の貯留が不可能である退避する位置とに変動する球径路変動片を有している」という事項を加えると共に「前記貯留部に貯留されているパチンコ球を棚坂上に解放する可動部材」を「前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材」と限定するものであるから、特許請求の範囲の減縮を目的とするものであるといえる。
　また、上記訂正事項ｂは、発明の詳細な説明の記載を上記訂正事項ａによる特許請求の範囲の訂正に整合させるための訂正であって、明りようでない記載の釈明を目的とし、訂正事項ｃは、誤記の訂正を目的とするものである。
　そして、上記訂正事項ａ、ｂは、特許明細書の実施例に記載され、願書に添付した明細書に記載されている事項であり、訂正事項ｃは、特許明細書の他の個所では、「球径路変動片」と表現されているから、願書に添付した明細書に記載した事項の範囲内でした訂正ということができる。
　さらに、いずれの訂正も実質上特許請求の範囲を拡張し、又は変更するものでもない。
　　　　
（３）独立特許要件
　i．訂正明細書の請求項１に係る発明
　訂正明細書の請求項１に係る発明は、その特許請求の範囲の請求項１に記載された次の事項により構成されるとおりのものである。
「パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、前記貯留部が、パチンコ球の一時的な貯留が可能である突出する位置とパチンコ球の貯留が不可能である退避する位置とに変動する球径路変動片を有していることを特徴とするパチンコ機の入賞装置。」
　ii．取消理由
　前記取消理由は、
１）明細書の記載不備について
　訂正前の本件明細書及び図面の記載は、訂正前の本件請求項１に係る発明を理解する上で必須と思われる、貯留部の構成、入賞空間内におけるパチンコ球の流れについて、当業者が理解できる程度に記載されておらず、訂正前の本件請求項１に係る発明の特許は、特許法第３６条第３項及び第４項の規定に違反するものである。
２）特許法第２９条第１項第３号又は第２項違反について
　異議申立人が提出した甲第１号証（特開昭６２−３２９８４号公報）を刊行物１として、同甲第２号証（実願昭６０−２０２３７９号（実開昭６２−１１１０７４号）のマイクロフィルム）を刊行物２として引用し、訂正前の本件請求項１に係る発明は、上記刊行物１又は２に記載されているか、または、上記刊行物１又は２に記載の発明に基づいて当業者が容易に構成し得たものであるから、訂正前の本件請求項１に係る発明の特許は、特許法第２９条第１項第３号又は特許法第２９条第２項の規定に違反してなされたものである。
３）特許法第２９条の２第１項違反について
　異議申立人が提出した甲第５号証（特開平１−１３１６８７号公報）を引用して、訂正前の本件請求項１に係る発明は、その出願日前の出願であって、その出願後に出願公開された特願昭６２−２８９４４４号の願書に最初に添付した明細書又は図面（以下、「先願明細書」という。特開平１−１３１６８７号公報、甲第５号証参照）に記載された発明と同一であると認められ、しかも、請求項１に係る発明の発明者が上記先願明細書に記載された発明の発明者と同一であるとも、本件出願の時において、その出願人が上記他の出願の出願人と同一であるとも認められないので、訂正前の本件請求項１に係る発明の特許は、特許法第２９条の２第１項の規定に違反してされたものである。
としている。
　iii．引用刊行物の記載事項
　前記取消理由で引用した刊行物１、刊行物２及び先願明細書に記載された発明を示す特開平１−１３１６８７号公報には、それぞれ以下の事項が記載されている。
　刊行物１
「上記した取付基板１３の裏面には中央開ロ部１４ を裏側から塞ぐようにして凹室２３を設け」（３頁右上欄９〜１１行）、
「図面で示す誘導手段２５は、起立部２８を有する前端部分を中央開口部１４から前方に突出させ、後部を凹室２３の奥に向って僅かに下り傾斜させた状態で設けた棚板状であって、幅方向の中央に開設した貫通部２９内にタイヤを模した誘導部３０を支軸３１により回転可能に軸支してある。誘導部３０は、中空な円柱体の一部を欠切して球入口３２を形成したものであり、後述する駆動源の駆動により回転する。また、上記誘導手段２５の下方には、凹室２３の底部を構成する球流下板３３を前方に向って下り傾斜した状態で設けるとともに、球流下板３３に２列に開設した各小孔内に発光ダイオード等の発光源３４…を各々臨ませる。そして、球流下板３３の傾斜下端には分別手段３５を設ける。
　分別手段３５は、仕切板３６，３６で仕切った３つの球入賞口を取付基板１８の表面に突出させた状態で並設したものであり、中央の球入賞口を特別入賞口３７、左右の球入賞口を一般入賞口３８，３８としてある。」（３頁右上欄１９行〜左下欄１８行）、
「特定入賞口１９に入った遊技球は，誘導手段２５上に落下するが、誘導手段２５先端に起立部２８が起立しているので、落下した遊技球がガラス方向に跳ね返るのを防止している。誘導手段２５上に落下した遊技球は、誘導手段２５の上面が僅かに下り傾斜しているので、この傾斜により凹室２３内の奥に向ってゆっくりと転動し、誘導手段２５の傾斜下端から球流下板３３上に落下する。球流下板３３上に落下した遊技球は、球流下板３３の傾斜により前方に向って転動し、分別手段３５の特別入賞口３７か或は一般入賞口３８に入り、遊技球は遊技盤２の裏側に流出して入賞球となり、この入賞球により賞球排出装置（図示せず）が作動し、パチンコ機１前面の球供給皿７０に所定数の賞球が排出される。
　一方、回転している誘導部３０の球入口３２が第５図で示すように誘導手段２５の貫通部２９に臨んで開口しているとき、運良く遊技球が誘導手段２５上に落下し、この遊技球が球入口３２から誘導部３０内に入ると、この遊技球は、誘導部３０内に静かに保留され、第６図で示すように、球入口３２が下方に向いたときに球入口３２から球流下板３３上に落下する。そして、この遊技球は、球流下板３３のほぼ中央に落下し且つ静かに落下するので、球流下板３３のほぼ中央を流下し、高い確率で特別入賞口３７に入る。」（５頁左下欄３行〜右下欄８行）、
「この様に誘導手段２５は、特定入賞流路６２…から流入した遊技球の流下方向を所定の率に近い値で補助的に誘導する機能を有するが、誘導部３０内に入った遊技球が必ず特別入賞口３７に入るとは限らないし、誘導部３０に入らないで流下した遊技球が特別入賞口３７に入る可能性もあるので、常に遊技者に利益獲得の期待感を抱かせることができるし、実施例では遊技球が誘導手段２５の緩やかな傾斜にしたがい後方へゆっくり転動し、又、球流下板３３により流下方向を変換して分別手段３５へ流下させるようにしたので、遊技者に一層大きな期待感を持たせることができる。
　特別入賞口３７に遊技球が入ると、該遊技球は流路５３内を流下し特別検出器５４を作動した後遊技盤２の裏側に入賞球として流出する。したがって、この入賞球により賞球排出装置が球供給皿６３に賞球を排出する。また、特別検出器５４が遊技球を検出すると、該特別検出器５４からの信号により電気的制御装置６７が特別遊技状態に変換する。」（５頁右下欄１５行〜６頁左上欄１５行）の記載がある。
　刊行物２
「（１）遊技盤内に設けられた特定入賞口に入賞した遊技球が誘導されてランダムに流動することができる補助遊技空間を形成する凹部形成壁と、その下部に権利発生入賞口と一般入賞口とを有する補助遊技装置を備え、遊技球が偶発的に上記権利発生入賞口に入賞した場合に、遊技部内に入賞率の高い状態へ移行可能な新たな遊技状態を形成するようにされたパチンコ遊技機において、上記補助遊技装置には、可動プレートを底部に有し特定入賞口に入賞した遊技球を一時的に保留可能な球保留部を設けると共に、上記特定入賞口もしくは球保留部に流入した遊技球を検出する検出器を設け、この検出器からの信号に基づいて球保留部内の球の数が所定数になったとき、または遊技盤の外側に設けられた操作スイッチからの信号が入ったときに、上記可動プレートを移動させて球保留部内の球を上記補助遊技空間内に流下させるようにしたことを特徴とするパチンコ遊技機。」（１頁５行〜２頁２行、実用新案登録請求の範囲）、
「補助遊技装置５の構成基板５１の上部には扇形をなす覆い部５２が設けられ、この覆い部５２の下方には適当な間隔を置いて鎧部５３が設けられている。そして、この鎧部５３の上面中央に特定入賞口５４が形成され、かつこの特定入賞口５４の両側には一対の誘導片５５ａ，５５ｂが上記覆い部５２の下側斜面に対向するように突設され、両者の間に上記特定入賞口５４に向かう流路が形成されている。
　また、上記鎧部５３には、遊技球が数個（実施例では５個）入る空間を有する球保留部５６が設けられ、上記特定入賞口５４に入賞した遊技球はこの球保留部５６内に流下し、一旦保留されると共に、球保留部５６の前面は開口され透明板５７で閉塞されている。つまり内部の球の数を目で確認することができる。さらに、球保留部５６の奥部には、前述飛込み型特定入賞口６ａ，６ｂに入賞した遊技球を誘導する接続樋９ａ，９ｂの終端が臨む開ロ部５６ａが形成されている。
　球保留部５６の底面には、常態においてここを閉塞するようにされた可動プレート５８が摺動可能に配設されており、その後方には可動プレート５８の駆動用ソレノイド５９が配設されている。ソレノイド５９が励磁されるとプランジャ５９ａが収縮して可動プレート５８が後方へ移動される。そしてソレノイド５９が消磁されると復帰バネ５９ｂによって可動プレート５８は前方へ移動され、球保留部５６の底面が閉塞されるようになっている。ソレノイド５９は、球保留部５６の下方に構成基板５１と一体に形成された凹部形成壁６０の上壁に、取付片６１にて固定されている。
　凹部形成壁６０内には２つの傾斜板６２，６３が配設されており、このうち上方の第１傾斜板６２は後方に向かって緩やかに下り傾斜されている。」（６頁１７行〜８頁１０行）、
「第２傾斜板６３の中央には特別遊技態様発生の条件となるＶ入賞口（権利発生入賞口）６４が設けられており、」（８頁２０行〜９頁２行）、
「さらに、この実施例では、球保留部５６内に２個の遊技球が保留されるか、操作スイッチ１７がオンされたならば自動的に可動プレート５８が後退されて、内部の遊技球が第１傾斜板６２上に流下されるようになっている。そして、この第１傾斜板６２の略中央に貫通孔６２ｂが、また入賞受け枠６７の中央にＶ入賞口６４が設けられており、第１傾斜板６２上から第２傾斜板６３へ流下した遊技球はＶ入賞口６４かその両側の一般入賞口６９のいずれか一方に入賞することになるが、第１傾斜板６２上で中央の貫通孔６２ｂにうまく流入した遊技球は非常に高い確率でＶ入賞口６４へ入賞ができる仕組みになっている。
　なお、上記実施例では、いずれも可動プレート５８が前後方向に摺動される構造になっていると説明したが、下方へ９０゜回転して球保留部５６内の遊技球を流下させるような構造にすることもできる。」（１７頁１〜１８行）の記載がある。
　特開平１−１３１６８７号公報
　先願明細書には、パチンコ機の変動入賞装置に係る発明に関するもので、次の事項が記載されている。
「両阻止壁１７，１７の下端間に位置する開ロ部１２の下縁部分には下球受枠１８を突設して中央の特別入賞口１９と左右の一般入賞口２０，２０とを形成し、……また、取付基板１１の裏側には内部が上記開ロ部１２に連通して底面２３が開ロ部１２に向って僅かに下り傾斜して傾斜下端が上記特別入賞口１９及び一般入賞口２０，２０に臨む凹室２４を設け、」（２頁右下欄５〜１４行）、
「また連通路２７の出口の下方に位置する底面２３上には底面２３の傾斜下端側を流出部２９として一部切り欠いた略々円形の包囲枠３０を立設することにより上面が開放した球貯留部３１を形成するとともに、該包囲枠３０の内部に横長な箱状の回転体３２を回転可能に設け、包囲枠３０の流出部２９には円弧状の貯留制御部材３３を上下動可能に設けてある。なお、上記包囲枠３０、回転体３２、及び貯留制御部材３３の高さは、球径とほぼ同じか僅かに低く設定することが望ましい。」（３頁左上欄４〜１４行）、
「第２ソレノイド３５を励磁すると、プランジャが下降して駆動腕部４６，４６の先端が上昇する方向に駆動軸４５を回動するので、貯留制御部材３３が上昇して底面２３上に突出する第２状態に変換する。この様に、貯留制御部材３３が底面２３上に突出すると、貯留制御部材３３が包囲枠３０の流出部２９を塞ぐので、球貯留部３１内の球は回転体３２の状態に拘らず貯留制御部材３３により流下を阻止され、球貯留部３１内で待機する。そして、第２ソレノイド３５が消磁すると、復帰スプリング等の付勢により貯留制御部材３３が底面２３よりも下降する第１状態に復帰するので、球貯留部３１内の球が流出部２９から流出可能となり、流出した球は底面２３上を転動して特別入賞口１９、または一般入賞口２０に入賞する。」（３頁右下欄１０行〜４頁左上欄５行）、
「連通路２７の出口から下室２４ｂ内に入った球は、底面２３上の球貯留部３１内にー旦落下するが、この球貯留部３１内では回転体３２が回転しており、また貯留制御部材３３が球貯留部３１の流出部２９を塞いでいる。したがって、落下した球の多くは、包囲枠３０や貯留制御部材３３と回転体３２とにより囲まれた略々半円状の部分に落下したまま貯留され、回転体３２の上面に落下してから弾んだり転動して球貯留部３１から出た球は底面２３上を転動して特別入賞口１９、又は一般入賞口２０，２０に入る。」（５頁右下欄１８行〜６頁左上欄９行）、
「なお、第１２図で示すように、回転体３２の長手方向が凹室２４の前後方向に位置するときに貯留制御部材３３が下降すると、回転体３２の両側に貯留されていた球が流下するので、これらの球は左右の一般入賞口２０，２０に入る確率が高い。また、第１５図に示すように、回転体３２の長手方向が凹室２４の幅方向に位置するときに貯留制御部材３３が下降すると、流出部２９側に位置する略々半円部分内に貯留されていた３個の球が一斉に流下するので、第１７図に示すように、中央に位置する球が特別入賞口１９に、左右の球が一般入賞口２０，２０に入る確率が高い。したがって、変動入賞装置６に所定数（本実施例では１０個）の球が入賞し、球検出器２８がこれらの球を検出して制御装置が所定数までカウントすると当該サイクルが終了するように設定されているが、当該サイクルで所定数の球が入賞しても未だ特別入賞口１９に入らなかった場合であっても、上記の様に球貯留部３１で貯留していた球が特別入賞口１９に入る確率が高まることにより、次のサイクルに更新できる可能性が高められ、遊技者にとって有利な遊技を継続することができる。」（６頁右上欄１５行〜左下欄１７行）。
　iv．比較・判断
　そこで、訂正明細書の請求項１に係る発明と上記刊行物１記載の発明及び上記刊行物２記載の発明とを比較すると、上記刊行物１記載の発明は、訂正明細書の請求項１に係る発明の「貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材」及び「貯留部が、パチンコ球の一時的な貯留が可能である突出する位置とパチンコ球の貯留が不可能である退避する位置とに変動する球径路変動片を有している」点を具備していない点で、また上記刊行物２記載の発明は、訂正明細書の請求項１に係る発明の「貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材」を具備していない点で、それぞれ訂正明細書の請求項１に係る発明と相違しており、その余の点では、それぞれ一致していると認められる。
　そして、訂正明細書の請求項１に係る発明は、上記事項を構成要件とすることにより、「球径路変動片が突出する位置と退避する位置とに変動することにより、貯留部にパチンコ球が貯留可能な状態と、パチンコ球が貯留部に貯留不可能な状態とに切り換わると共に、球径路変動片が突出する位置にあって貯留部にパチンコ球が貯留されている場合、貯留部に貯留されているパチンコ球は、可動部材がパチンコ球を取り込む位置にあれば可動部材に取り込まれる一方、可動部材が取り込まない位置にあれば可動部材に取り込まれることはなく貯留部に貯留されたままとなり、さらに、可動部材が解放する位置に変動した場合、取り込み位置で貯留部からパチンコ球を取り込んでいれば、取り込んだパチンコ球が棚板上に解放され、また、貯留部に貯留されているパチンコ球が可動部材に取り込まれる前に、球径路変動片が突出する位置から退避する位置に変動することによって貯留部がパチンコ球の貯留が不可能となると、貯留部に貯留されているパチンコ球が可動部材に取り込まれないまま解放されるので、貯留部に貯留されているパチンコ球を、可動部材の変動位置の相違により、可動部材を経由させて棚板上に解放する流下径路と、可動部材を経由させない流下径路とに振り分けることができ、入賞空間に流入したパチンコ球の通過態様に変化を持たすことができると共に、より趣興性の高いゲーム展開が可能となって遊技の興趣を一層高揚することができる。」という上記刊行物１及び上記刊行物２記載の発明からは期待できない作用効果を奏することは明らかである。
　したがって、訂正明細書の請求項１に係る発明は、上記刊行物１記載の発明又は上記刊行物２記載の発明であるとすることも、上記刊行物１記載の発明及び／又は上記刊行物２記載の発明に基づいて当業者が容易に発明することができたものであるとすることもできない。
　次に、訂正明細書の請求項１に係る発明と上記先願明細書に記載された発明とを比較すると、上記先願明細書に記載された発明は、訂正明細書の請求項１に係る発明の「貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材」を具備していない点で、訂正明細書の請求項１に係る発明と相違しており、その余の点では、一致していると認められる。
　そして、訂正明細書の請求項１に係る発明は、上記事項を構成要件とすることにより、他の構成要件「貯留部が、パチンコ球の一時的な貯留が可能である突出する位置とパチンコ球の貯留が不可能である退避する位置とに変動する球径路変動片を有している」点と協働して前記特許異議意見書に記載の上記作用効果を奏するものと認められる。
　したがって、訂正明細書の請求項１に係る発明は、上記先願明細書に記載された発明と同一であるとすることはできない。
　なお、前記取消理由の明細書の記載不備についての指摘に対応して、特許権者は、前記特許異議意見書に参考図面を添付して説明しており、その説明内容は明細書の記載に基づくものであるからして、これによると記載不備はないものと認められる。
　さらに、訂正明細書の請求項１に係る発明は、他に特許を受けることができないとする理由も発見できないから、特許出願の際独立して特許を受けることができるものである。
　　
（４）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。  
　　　　
３.特許異議の申立てについての判断
（１）本件請求項１に係る発明
　上記２．で示したように上記訂正が認められるから、本件請求項１に係る発明は、上記訂正明細書の特許請求の範囲の請求項１に記載されたとおりのものである（上記２．（３）の（訂正明細書の請求項１に係る発明）の記載参照）。
　　　
（２）申立て理由の概要
　異議申立人上田実は、下記の証拠を提出して、本件請求項１に係る発明は、１）甲第１号証又は甲第２号証に記載された発明であるから、特許法第２９条第１項第３号の規定に該当し、又は、２）甲第１号証に記載された発明に甲第２号証または甲第３号証、甲第４号証に記載された発明を適用することにより、当業者が容易に発明をすることができたものであるから、特許法第２９条第２項の規定に該当し、さらには、３）甲第５号証に記載された発明と同一であって発明者または出願人が異なるものであるから、特許法第２９条の２の規定に該当するので、その特許は取り消されるべきものであると主張している。
（証拠）
　甲第１号証：特開昭６２−３２９８４号公報（上記刊行物１）
　甲第２号証：実願昭６０−２０２３７９号(実開昭６２−１１１０
　　　　　　　７４号)のマイクロフイルム（上記刊行物２）
　甲第３号証：実願昭５９−７５８８９号(実開昭６０−１８７７８
　　　　　　　２号)のマイクロフイルム
　甲第４号証：特開昭６１−２４４３８２号公報
　甲第５号証：特開平１−１３１６８７号公報（上記先願明細書）
　　　　
（３）甲各号証の記載事項
　甲第１号証
　上記２．（３）のiii．引用刊行物の記載事項の刊行物１の記載事項参照
  甲第２号証
　上記２．（３）のiii．引用刊行物の記載事項の刊行物２の記載事項参照
　甲第３号証
「ケースの内部には変動球受部材が第２状態に変換したとき該球受部材に接続する球通路を形成し、該球通路の出口にストッパを臨ませるとともに、該ストッパを上記変動球受部材に連動手段を介して連絡し、変動球受部材が第２状態に変換したときストッパにより球通路の出口を遮断して変動球受部材が受け止めた打球を球通路と変動球受部材上に一時的に保留し、変動球受部材が第１状態に変換したときストッパを外して球通路上の打球を入賞球として出口から流下させるとともに、変動球受部材上の打球を遊技盤面上にそのまゝ流下させるようにしたことを特徴とするパチンコ機の打球入賞装置。」（１頁１０行〜２頁４行）、
「本考案は、基板の表面に変動球受部材を取り付けると共に、基板の裏面に設けたケースの内部に球通路を形成し、該球通路の出口に臨ませたストッパと変動球受部材とを連動させ、変動球受部材が受け止めた打球をストッパにより球通路と球受部材上とに一時的に保留し、球受部材が打球を受け止めない状態に変換したときストッパを外して球通路上の打球を入賞球とし、球受部材上の打球を遊技盤面上に流下させるようにしたパチンコ機の打球入賞装置に関するものである。」（２頁６〜１６行）、
「打球入賞装置７は、開ロ部８を開設した基板９の裏側に前面開放状のケース１０を有し、基板９の表面には庇部１１を開ロ部８の上縁に突設する」（４頁１４〜１７行）、
「ケース１０は、上面部１０ａ、左右側面部１０ｂ、１０ｂ、後面部１０ｃ、及び前方に向って下り傾斜する底面部１０ｄとからなり、底面部１０ｄの傾斜下端には打球を遊技盤３の裏側に排出する球出口１０ｅを開設してある。そしてこのケース１０の内部には機首２２’が開ロ部８から突出するようにして飛行機２２を装飾部材として設け、該飛行機２２の左右の主翼上面に浅い溝状の球通路２４、２４を夫々前後方向に形成する。
球通路２４は、複数の打球を同時に載せるのに十分な長さを有し、開ロ部８に臨む傾斜上端の入口２４ａは第２状態における変動球受部材１２の傾斜下端、即ち機首側端部１２’とほゞ同じ高さに位置して溝部１３に接続する。一方、球通路２４の出口２４ｂである傾斜下端にはストッパ２５を臨設する。
　ストッパ２５は、ケース１０の後面部１０ｃの裏側に支承した左右方向の支軸２６に遊嵌した基部２５ａと、該基部２５ａから前方に延設した鉤状ストッパー片２５ｂと、基部２５ａから下方に延出した脚片２５ｃと、該脚片２５ｃの下端に形成した水平方向の受片２５ｄとからなる。そしてこのストッパ２５をケース１０に取付けるには、ケース１０の後面部１０ｃに開設した通孔２７内にストッパー片２５ｂを裏側から挿通してストッパー片２５ｂの下向き先端を球通路２４の出口２４ｂに臨ませるとともに、受片２５ｄを連動部材１６に臨ませる。
　電気的駆動源１７を作動しない状態においては、前記したように、復帰用スプリング１７’の付勢により、連動部材１６の押圧片１９が略水平方向に位置するので、ストッパ２５の受片２５ｄは押圧片１９により下方に押圧され、下降する。受片２５ｄが下降するとストッパ２５は、第６図に示すように、先端を上昇して球通路２４の出口２４ｂを開放した状態で静止する。即ち、変動球受部材１２が打球を受け止めない第１状態においては、ストッパ２５は球通路２４の出口２４ｂを開放状態にする。
　そして電気的駆動源１７を作動すると連動部材１６が第６図矢印Ａ方向に回動し、押圧片１９が上昇して受片２５ｄから離れるとともに、掬い上げ片２０が上昇して受片２５ｄを掬い上げる。受片２５ｄが掬い上げられると、ストッパ２５は支軸２６を中心にして規制杆２８に当接するまで回動し、第７図に示すように、先端が下降して球通路２４の出口２４ｂを遮る。
即ち、電気的駆動源１７の作動により変動球受部材１２が打球を受け止め易いほゞ水平な第２状態に変換すると、ストッパ２５は、変動球受部材１２に連動して回動し、球通路２４の出口２４ｂを遮る。また変動球受部材１２が第２状態に変換すると、前記したように、変動球受部材１２の溝部１３と球通路２４とが接続される。したがって変動球受部材１２が受け止めた打球は、溝部１３に沿い機首側端部１２’に向って転動した後、入口２４ａから球通路２４に流入し、最先の打球はストッパ２５に当接して球通路２４内で停止する。そして二番目以降の打球は、球通路２４と変動球受部材１２の溝部１３とに順次列状に留まる。」（６頁１３行〜９頁１０行）、
「一方、変動球受部材１２が第２状態から第１状態に戻るとストッパ２５が出口２４ｂを開放するので、球通路２４上の打球は、開放された出口２４ｂから順次流出した後、球通路２４の傾斜下端とケース１０の後面部１０ｃとの間隙を通って底面部１０ｄ上に落下する。底面部１０ｄ上に落下した打球は底面部１０ｄの傾斜により前方に転動し、球出口１０ｅからケース１０の外に流出して入賞球となる。」（９頁１９行〜１０頁６行）の記載がある。
　甲第４号証
「本発明は、所定の入賞口にパチンコ球が飛入したとき、入賞装置の入賞確率を所定時間増大させる状態を維持し始め、その入賞確率増大状態中に前記所定の入賞口にパチンコ球が飛入したときには再度最初から前記入賞確率増大状態を開始させるようにしたパチンコ機の改良に関するもの」（１頁右欄６〜１２行）、
「かかる構成を要旨とする本発明によれば、入賞装置が入賞確率増大になったときには捕球・放球機構によってまずパチンコ球が捕らえられ、そして所定の入賞口に入り易いように放球されることとなる。」（２頁右上欄６〜１０行）、
「第１図において、１はパチンコ機の遊技盤上に配設された入賞装置で、２はそのケーシングである。このケーシング２は一面が開口して開ロ部３を有する箱状本体４とその開ロ部３の周縁に外向鍔状に形成された前板５とから概略構成されており、遊技盤上の開ロ部に前側から嵌め付けられ前板５がねじ止め等されて遊技盤に固着される。パチンコ球は開ロ部３から本体４内に飛入するようにされているもので、この本体４の底板６は前下がりの傾斜が持たされている。」（２頁右上欄１５行〜左下欄５行）、
「この囲い板１０の中央部には間隔をおいて対向する仕切板１１，１１が立設されており、各仕切板１１と囲い板１０の両側板部１２，１２との間は入賞口１３，１３とされ、仕切板１１と仕切板１１との間は所定の入賞口１４とされている。ここで、以降の説明の便宜上、所定の入賞口１４以外の入賞口すなわち入賞口７，７，１３，１３をはずれ入賞口と呼ぶ場合がある。」（２頁左下欄１５行〜右下欄３行）、
「第１７図及び第１８図において、まず、１３５は扉板である。この扉板１３５は底板部６と振分部材２８との間の前後方向中央付近を閉塞するものであり、本体４の両側板間に架設された支軸１３６によりその上縁部が支持されており、この支軸１３６を中心に回動自在とされている。すなわち、この扉板１３５は、翼体３０，３０の後方より底板部６上に流れたパチンコ球によって押し開かれる。底板部６にはロック部材１３７が本体４内に対して進退可能に設けられている。このロック部材１３７は本体４内の扉板１３５に妨げられないでその若干前方に前進するように配置されており、その前進状態時に扉板１３５の開きを阻止するものである。これら扉板１３５と支軸１３６とロック部材１３７とは捕球・放球機構を構成するものであり、扉板１３５がロック部材１３７によってロックされているとき扉板１３５の後方にパチンコ球を捕球し保持できることから第１の状態となり、扉板１３５がロックされていないとき第２の状態となる。なお、この場合、第１の状態において複数のパチンコ球を貯溜できる。」（１１頁右下欄１７行〜１２頁左上欄１７行）の記載がある。
  甲第５号証
　上記２．（３）のiii．引用刊行物の記載事項の特開平１−１３１６８７号公報の記載事項参照
　　　　
（４）対比・判断 
　異議申立ての理由１）及び３）については、上記２．（３）で示したように、本件請求項１に係る発明は、上記刊行物１記載の発明又は上記刊行物２記載の発明と同一ではない。即ち、甲第１号証記載の発明又は甲第２号証記載の発明と同一ではない。同じく、本件請求項１に係る発明は、甲第５号証に記載された発明と同一ではなく、上記先願明細書に記載された発明と同一ではない。
　そして、異議申立ての理由２）については、甲第３号証及び甲第４号証に記載された発明は、共に、本件請求項１に係る発明の「貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材」及び「貯留部が、パチンコ球の一時的な貯留が可能である突出する位置とパチンコ球の貯留が不可能である退避する位置とに変動する球径路変動片を有している」点を具備しておらず、本件請求項１に係る発明は、上記事項を構成要件とすることにより、前記２．（３）ivに記載の作用効果を奏するものと認められる。
　したがって、本件請求項１に係る発明は、甲第１号証に記載された発明に甲第２号証または甲第３号証、甲第４号証に記載された発明を適用することにより、当業者が容易に発明をすることができたものであるとすることはできない。
　　　　
（５）むすび
  以上、特許異議申立ての理由及び証拠によっては、本件請求項１に係る発明の特許を取り消すことはできない。
　また、他に本件請求項１に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１１月２０日（２００１．１１．２０）
【訂正の要旨】
１．特許請求の範囲の減縮を目的として、平成１０年４月２７日付の手続補正書により全文補正された特許明細書の特許請求の範囲の請求項１に係る記載
「パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に貯留されているパチンコ球を前記棚板上に開放する可動部材とを備えたことを特徴とするパチンコ機の入賞装置。」を、
「パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、前記貯留部が、パチンコ球の一時的な貯留が可能である突出する位置とパチンコ球の貯留が不可能である退避する位置とに変動する球径路変動片を有していることを特徴とするパチンコ機の入賞装置。」と訂正する。
２．上記１．の特許明細書の特許請求の範囲の請求項２の訂正と整合させるため、明りようでない記載の釈明を目的として、同特許明細書の３頁３〜８行に記載の
「本発明のパチンコ機の入賞装置は、パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に貯留されているパチンコ球を前記棚板上に開放する可動部材とを備えたことを特徴とする構成を有する。」を、
「本発明のパチンコ機の入賞装置は、パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、前記貯留部が、パチンコ球の一時的な貯留が可能である突出する位置とパチンコ球の貯留が不可能である退避する位置とに変動する球径路変動片を有していることを特徴とする構成を有する。」と訂正する。
３．誤記の訂正を目的として、同特許明細書の６頁２０行に記載の「球経路変動片４３」を「球径路変動片４３」と訂正する。
（５４）【発明の名称】
パチンコ機の入賞装置
（５７）【特許請求の範囲】
　パチンコ球が通過する入賞空間と、
　該入賞空間内に設けられた特別入賞口と、
　前記入賞空間に流入したパチンコ球を一時的に貯留する貯留部と、
　前記特別入賞口の上流に設けられると共に前記特別入賞口が配置されている側にパチンコ球を誘導する棚板と、
　前記貯留部に一時的に貯留されているパチンコ球を取り込む位置と、前記留部に一時的に貯留されているパチンコ球を取り込まない位置と、取り込んだパチンコ球を前記棚板上に解放する位置とに変動する可動部材とを備え、
　
前記貯留部が、パチンコ球の一時的な貯留が可能である突出する位置とパチンコ球の貯留が不可能である退避する位置とに変動する球径路変動片を有している
【発明の詳細な説明】
　産業上の利用分野
　本発明は、パチンコ機の入賞装置に関する。
　従来の技術
　パチンコ機の入賞装置として、特定条件の成立に基き、大入賞口やアタッカ等を形成する可動片を間歇的に開閉するようにしたものは公知である。
　特開昭６３−１４７４８４号には、パチンコ球が通過する入賞空間を上部と下部とに仕切ると共に、上部側の入賞空間に入ったパチンコ球を奥方に誘導すべく該入賞空間の奥方に向けて下る傾斜がかけられた分流樋を有し、該分流樋の奥側左右にパチンコ球落下用の導通孔が設けられると共に、左右の導通孔の間に、モータにより左右に揺動してパチンコ球を左右に振り分ける振分部材が設けられ、左右の導通孔のいずれかを通過して下部側の入賞空間に落下したパチンコ球を前方に誘導する分流底板の前部左右に、パチンコ球を落入させるための透孔と、ソレノイドにより上下に回動し、透孔の底部を形成する上方側の揺動位置において透孔に落入したパチンコ球を複数個貯留する一方、透孔から退避した下方側の揺動位置において、透孔に貯留してあるパチンコ球を下方に落下させて釈放する開閉板とを含む打球貯留部が設けられたパチンコ機の入賞装置が記載されている。
　上記入賞装置にあっては、貯留部は、透孔に落入したパチンコ球を貯留することにより貯留球を突出した状態とし、突出させた貯留球へ後続球が衝突することにより後続球を中央に方向変換させて特定入賞口に入り易くするものであり、貯留球自体は、後に開閉板が下方に後退することで落下して一般入賞球として処理されるものである。従って、貯留球自体は、特別入賞口に入賞する可能性は付与されていない。
　また、特開昭６４−４９５８９号には、パチンコ球が通過する入賞空間を上部と下部とに仕切ると共に、上部側の入賞空間に入ったパチンコ球を奥方に誘導すべく該入賞空間の奥方に向けて下る傾斜がかけられた中仕切板を有し、該中仕切板の奥側中央にパチンコ球落下用の開口部が設けられ、開口部を通過して下部側の入賞空間に落下したパチンコ球を前方に誘導する下室の中央に、モータにより常時回転する円板状の選別装置が設けられ、選別装置の外周に、無底の第１溝と有底の第２溝とを設け、開口部を通過したパチンコ球が無底の第１溝に落下すると、これを拘束したまま回転して運び、直下に設けた第１排出口に排出する一方、開口部を通過したパチンコ球が有底の第２溝に落下すると、これを拘束したまま回転して運び、下室の側部に設けた第２排出口に向けて釈放するよう構成されたパチンコ機の入賞装置が記載されている。
　上記入賞装置にあっては、中仕切板から開口部を通って落下したパチンコ球は、選別装置に設けられた第１溝及び第２溝の内のいずれか一方に貯留され、パチンコ球が第１溝に貯留された場合、第１溝が無底であるので、これを拘束したまま回転して運び直下に設けた第１排出口に入り、特別入賞検出器で検出される一方、パチンコ球が第２溝に貯留された場合、これを拘束したまま回転して運び、第２排出口に釈放し、このパチンコ球は、一般入賞球と同じく入賞球個数検出器で検出される。従って、選別装置の溝部によって貯留される貯留球は、貯留された時点で貯留箇所の別により特別入賞と一般入賞との別が確定されるものであり、貯留球の全てに特別入賞口に入賞する可能性が付与されるものではない。
　発明が解決しようとする課題
　本発明の目的は、入賞空間に流入したパチンコ球を一時的に貯留すると共に、貯留したパチンコ球を特別入賞口が配置されている側に誘導する棚板上に開放することにより、貯留球の全てに特別入賞口への入賞の可能性を与え、特別入賞口への入賞を望む遊技者の期待感を、パチンコ球が貯留されても減らすことなく持続させて、上記従来技術に比較して、より趣興性の高いゲーム展開が可能なパチンコ機の入賞装置を提供することにある。
　課題を解決するための手段
　本発明のパチンコ機の入賞装置は、パチンコ球が通過する入賞空間と、該入賞空間内に設けられた特別入賞口と、前記入賞空間に流入したパチンコ球を一時的に貯留する貯留部と、前記特別入賞口の上流に設けられると共に前記特別入賞口が配置されている側にパチンコ球を誘導する棚板と、
前記貯留部に一時的に貯留されているパチンコ球を取り込む位置と、前記貯留部に一時的に貯留されているパチンコ球を取り込まない位置と、取り込んだパチンコ球を前記棚板上に解放する位置とに変動する可動部材とを備え、
　
前記貯留部が、パチンコ球の一時的な貯留が可能である突出する位置とパチンコ球の貯留が不可能である退避する位置とに変動する球径路変動片を有している
　作　用
　入賞空間に流入したパチンコ球は、一時的に貯留部に貯留される。該貯留部に貯留されているパチンコ球は、可動部材によって棚板上に開放される。棚板上に開放されたパチンコ球は、棚板上を特別入賞口が配置されている側に誘導されて特別入賞口に入賞するか否かが遊技者により視認される。
　実施例
　以下、図面を参照して本発明の実施例を説明する。
　第５図は本発明を実施するパチンコ機の一例を示す正面図であり、第５図ではパチンコ機の遊技盤１および該遊技盤１上の配設物のみが示されている。
　遊技盤１の略中央部にはパチンコ球の入賞確率を変化させる可動片である羽根２，２を備えた入賞装置３が配設され、遊技盤１の下部位置には羽根２，２の開閉動作に関係する中第２種始動口４および左，右第２種始動口５，６が設けられ、これら第２種始動口４，５，６にはパチンコ球の入賞を検出する第２種始動口スイッチ４ａ，５ａ，６ａ（第５図では図示せず）が配設されている。
　なお、第５図中符号７，８は左，右チューリップ式役物、符号９は遊技盤１上に回動自在に軸支して設けられた風車、符号１０，１１は左，右入賞口、符号１２はアウト球受口、符号１３及び１４は各々外側球誘導レール，内側球誘導レールであり、外側球誘導レール１３の端部には過剰な力で弾発されたパチンコ球を跳返す返しゴム１５が固着されている。
　また、遊技盤１上では内側球誘導レール１４の内側に沿って表示灯１６，１７がそれぞれ複数個配設されると共に、入賞装置３の表面には表示灯１８，１９が各々複数個設けられ、左，右チューリップ式役物７，８には表示灯２０が設けられている。また、左，右入賞口１０，１１には表示灯２１が設けられ、更に、入賞装置３の略中央部には装飾ＬＥＤ２２が配設され、該入賞装置３の上下には連続回数表示ＬＥＤ２３，大入賞口入賞数表示ＬＥＤ２４が設けられている。
　なお、前記表示灯１６，１７，１８，１９，２０，２１は各要素毎に集合されてグループＡ，Ｂ，Ｃ，Ｄ，Ｅ，Ｆを構成し、連続回数表示ＬＥＤ２３及び大入賞口入賞数表示ＬＥＤ２４並びに装飾ＬＥＤ２２と共に、後述する制御装置からの指令に応じてグループ毎に点灯表示され、また、入賞状態に応じた効果音がスピーカ２５（第５図では図示せず）から出力されるようになっている。
　第１図は入賞装置３の要部を示す部分破断図であり、該入賞装置３は、入賞球を受け通過または一時的に貯留する入賞空間２６を有する前面ユニット部２７と、前面ユニット部２７に配設された各種可動部材のための駆動手段を設けた駆動ユニット部２８及び駆動ユニット部２９を前後に重合して構成されている。
　可動片である羽根２，２は基部２ａを中心として前面ユニット部２７の前面に回転可能に軸支され、駆動ユニット部２９に固設された駆動手段である大入賞口開放ソレノイドＳＯＬ１の磁励により基部２ａを中心に外側に回転されて開放し、入賞空間２６内部への入球を容易な状態とする。なお、大入賞口開放ソレノイドＳＯＬ１と羽根２，２との連動機構に関しては既に公知であるから説明を省略する。
　入賞空間２６は略水平方向に形成された誘導プレート３０によって上部空間２６ａと下部空間２６ｂに分割され、誘導プレート３０の上面略中央部には、パチンコ球が通過する入賞空間２６ａに出没してパチンコ球を振分け、水平断面で楔形状を有する可動部材３１がプレート３０に対して上下方向に接離可能に配設されると共に、下部空間２６ｂの後方略中央部には周壁３２ｃにおける対向位置に欠切部３２ｂ，３２ｂを設けた略円筒形状の回転ドラム３２（第３図中実線で示される形状を参照）が配設され、回転ドラム３２を固着した回転軸３３には、更に、外周の軸方向の全長に渡り周方向で等間隔に形成された３本のフィン３４ａを備えると共に先端部を三又状に形成した回転体３４が回動自在に軸支されている。なお、回転体３４のフィン３４ａと回転ドラム３２の周壁３２ｃは、軸方向において一部内外に重複している。
　また、下部空間２６ｂは該空間２６ｂの内壁３５と回転ドラム３２の周壁３２ｃとの間に形成された隔壁３６によって前後方向に仕切られており、隔壁３６によって仕切られた手前側の下部空間２６ｂの底面は図中手前方向に向かって僅かに傾斜する誘導プレート３７として形成され、該誘導プレート３７前縁略中央部には役物連続作動スイッチ３８ａを備えた特別入賞口３８が設けられ、また、特別入賞口３８の両側には入賞口３９がそれぞれ配設されている。
　一方、隔壁３６によって仕切られた後方側の下部空間２６ｂの左右下端には入賞口４０が各々配設されると共に、各入賞口４０の上方には、可動部材３１に対して入賞空間２６の後行程に配置され、入賞空間２６の隔壁３６によって仕切られた後方側の下部空間２６ｂに出没してパチンコ球を貯留及び釈放する内壁３５より内側に突出可動である球径路変動片４３が設けられ、下部空間２６ｂは左右下端の入賞口４０間に形成された底面４１によって前後に連絡され、特別入賞口３８及び入賞口３９，４０に落入したパチンコ球は図示しない集合樋に合流して大入賞口入賞検出スイッチ４２（第１図では図示せず）によってカウントされるようになっている。
　前面ユニット部２７の後方に重合して配設された駆動ユニット部２８には、前面ユニット部２７に配設された可動部材３１及び球径路変動片４３を駆動するためのキャラクターソレノイドＳＯＬ２が設けられている。
　第２図は駆動ユニット部２８の要部を示す正面図で、プル型のキャラクターソレノイドＳＯＬ２は、アクチュエータ４４の先端に作動片４５を備える。作動片４５の両側には横方向の長孔４６，４６が設けられ、作動片４５の略中央部には、駆動ユニット部２８の正面プレート４７に形成された嵌合部材４８によって上下方向摺動自在に摺嵌された作動板４９（第１図参照）に係合する係合突起５０が設けられ、軸５１によって回動自在に軸支されると共に一端部を作動板４９の爪４９ａに係合させた可動部材３１を前記誘導プレート３０の上面から接離させるようになっている。
　また、駆動ユニット部２８の正面プレート４７には軸５２，５２が植設され、前面ユニット２７の内壁３５から内側に突出する球径路変動片４３を先端に形成したアーム５３，５３を回動自在に軸支している。アーム５３，５３の他端には係合ピン５５，５５が一体に形成され、正面プレート４７に形成された孔５４，５４を貫通して、キャラクターソレノイドＳＯＬ２の作動片４５に形成された長孔４６，４６と係合し、作動片４５の上下動に応じて球径路変動片４３を内壁３５の内側に突出させる。
　前面ユニット２７に配設された回転ドラム３２及び回転体３４を駆動するモータＭは大入賞口開放ソレノイドＳＯＬ１と共に駆動ユニット２９に配設され（第１図参照）、モータＭの回転軸３３には外周の一部に欠切部５６ａを形成したカム５６が固着され、カム５６には回転体位置検出スイッチ５７のアクチュエータ５７ａが褶接する。カム５６の欠切部５６ａは、第３図に示されるように、回転ドラム３２の欠切部３２ｂ，３２ｂが上下方向に向いた状態でアクチュエータ５７ａの先端と係合する位置で回転軸３３に固着され、回転体位置検出スイッチ５７によって回転ドラム３２の回転位置が検出されるようになっており、モータＭの停止状態においては、回転ドラム３２の欠切部３２ｂ，３２ｂが必ず上下方向を向くようになっている。
　以上に述べた入賞装置３に係わる構成において、特許請求の範囲に記載された各構成要件とを対応づけて説明すると、「パチンコ球が通過する入賞空間」を入賞空間２６により構成し、「入賞空間内に設けられた特別入賞口」を特別入賞口３８により構成し、「入賞空間に流入したパチンコ球を一時的に貯留する貯留部」を、
球径路変動片４３
　第４図は本実施例のパチンコ機における制御装置の要部を示すブロック図であり、該制御装置５８は、可動片である羽根２，２を駆動する大入賞口開放ソレノイドＳＯＬ１，キャラクターソレノイドＳＯＬ２，モータＭの駆動継続時間や駆動休止時間、並びに、パチンコ機全体の制御プログラム等を記憶したＲＯＭ６０、及び、演算データの一時記憶等に用いられるＲＡＭ６１を接続したマイクロプロセッサ（以下、単にＣＰＵという）５９を備える。
　本実施例においては、大入賞口開放ソレノイドＳＯＬ１，キャラクターソレノイドＳＯＬ２，モータＭの駆動継続時間や駆動休止時間等が、入賞装置３における羽根２，２の連続開放動作の開始を基準とする時系列の切替時間ｔｉによって示され、この時間ｔｉが記憶手段であるＲＯＭ６０に記憶されている。第１１図は、ＲＯＭ６０に記憶された切替時間ｔｉの一例を示すタイミングチャートであり、本実施例においてはＣＰＵ５９の処理速度に対応して、大入賞口開放ソレノイドＳＯＬ１の駆動継続時間、すなわち、羽根２，２の一回の開放時間がＡ＝０．７９６秒に設定される一方、ソレノイドＳＯＬ１の駆動休止時間はＡ＝０．７９６秒，Ｂ＝０．５９８秒，Ｃ＝０．４００秒，Ｄ＝０．２０２秒の４種に設定され、該駆動休止時間Ａ，Ｂ，Ｃ，Ｄを組合わせることにより可動片である羽根２，２の開閉動作を多用なものにしている。
　また、ＣＰＵ５９には各種検出信号を一時的に記憶するラッチ等からなるスイッチ検出部６２が接続され、パチンコ機に配設された第２種始動口４，５，６への入球が第２種始動口スイッチ４ａ，５ａ，６ａで検出され、入賞装置３内、即ち、特別入賞口３８及び入賞口３９，４０への入球が前記大入賞口入賞検出スイッチ４２によって検出される一方、羽根２，２の連続開放動作を開始させる特別入賞口３８への入球は更に役物連続作動スイッチ３８ａによって検出され、回転体定位置検出スイッチ５７の状態と共に、各々、スイッチ検出部６２に一時記憶される。
　一方、羽根２，２を開閉駆動する大入賞口開放ソレノイドＳＯＬ１及び可動部材３１と球径路変動片４３を駆動するキャラクターソレノイドＳＯＬ２は、各々、ソレノイド駆動部（ドライバ）６３，６４を介してＣＰＵ５９に接続され、回転ドラム３２と回転体３４を駆動するモータＭはモータ駆動部６５（ドライバ）を介してＣＰＵ５９に接続され、各々、ＣＰＵ５９によってＯＮ，ＯＦＦ制御されるようになっている。
　なお、遊技盤１上に配設された表示灯１６，１７，１８，１９，２０，２１の各要素によって構成された表示灯グループＡ，Ｂ，Ｃ，Ｄ，Ｅ，Ｆ、及び、連続回数表示ＬＥＤ２３，大入賞口入賞数表示ＬＥＤ２４，装飾ＬＥＤ，スピーカ２５はＣＰＵ５９の指令に基づき、グループ毎に設けられた各駆動部（ドライバ）によって駆動制御され、独立して点灯及び音声表示されるようになっているが、これらは本発明の要旨と直接の関わりがないので説明を省略する。
　以下、ＣＰＵ５９の処理動作の要部を示すフローチャート第６図〜第８図及び第９図（ａ），第９図（ｂ）に基いて本実施例の動作を説明する。
　第６図はＣＰＵ５９の実行する処理を全体的に示すフローチャートであり、電源の投入によりイニシャライズされたＣＰＵ５９は、まず、モータ駆動部６５を介してモータＭを駆動し、回転ドラム３２と回転体３４の回転を開始し（ステップＳ００１）、スキャニングカウンタＳＣに０をセットした後（ステップＳ００２）、スキャニングカウンタＳＣの値に応じて「入賞球検出処理」（ステップＳ００４），「賞球払出処理」（ステップＳ００６），「ソレノイド駆動処理」（ステップＳ００７を実行し、スキャニングカウンタＳＣをインクリメント（ステップト００５）もしくはリセット（ステップＳ００８）して、前記各定義済処理を所定周期毎に循環して実行することとなる。
　第７図は「入賞球検出処理」を示すフローチャートであり、該「入賞球検出処理」に移行したＣＰＵ５９は、まず、スイッチ検出部６２に　時記憶された情報を読込んで（ステップＳ１０１）、中第２種始動口スイッチ４ａからの検出信号が記憶されているか否か、即ち、中第２種始動口４への入球が記憶されているか否かを判別し（ステップＳ１０２）、記憶されていれば、該始動口４への入球を記憶するラッチをリセットして入賞数記憶カウンタＣに１を加え（ステップＳ１０３）、始動口入賞記憶フラグＦ１に１をセットする（ステップＳ１０４）。
　また、左，右第２種始動口スイッチ５ａ，６ａからの検出信号が記憶されているか否か、即ち、左，右第２種始動口５，６への入球が記憶されているか否かを判別し（ステップＳ１０５）、記憶されていれば、該始動口５，６への入球を記憶するラッチをリセットして入賞数記憶カウンタＣに１を加え（ステップＳ１０６）、始動口入賞記憶フラグＦ２に１をセットする（ステップＳ１０７）。
　次いで、役物連続作動スイッチ３８ａからの検出信号が記憶されているか否か、即ち、入賞装置３内の特別入賞口３８への入球が記憶されているか否かを判別し（ステップＳ１０８）、記憶されていれば、該特別入賞口３８への入球を記憶するラッチをリセットして入賞数記憶カウンタＣに１を加え、連続作動口入賞数記憶カウンタＣ１に１を加える（ステップＳ１０９）。
　また、大入賞口入賞検出スイッチ４２からの検出信号が記憶されているか否か、即ち、入賞装置３内の入賞口３９，４０への入球が記憶されているか否かを判別し（ステップＳ１１０）、記憶されていれば、入賞口３９，４０への入球を記憶するラッチをリセットして入賞数記憶カウンタＣに１を加え、大入賞口入賞数記憶カウンタＣ２に１を加える（ステップＳ１１１）。
　なお、本実施例においては、後述の「ソレノイド駆動処理」によって大入賞口開放ソレノイドＳＯＬ１が磁励されて可動片である羽根２，２が開放されない限り、入賞装置３内の特別入賞口３８及び入賞口３９，４０に入賞することはない。
　次に、他の入賞口に配設された入賞検出スイッチからの検出信号が記憶されているか否か、即ち、左，右チューリップ式役物７，８や左，右入賞口１０，１１等への入球が記憶されているか否かを判別し（ステップＳ１１２）、記憶されていれば、これらの入賞口に対応するラッチをリセットして入賞数記憶カウンタＣに１を加え、この周期の処理を終了し（ステップ１１３）、「賞球払出処理」に移行する。
　前記したように、この「入賞球検出処理」は所定周期毎に循環して実行されるものであり、各種入賞口への入球が検出される度にそれぞれのカウンタの値が順次インクリメントされることとなる。
　第８図は「賞球払出処理」を示すフローチャートであり、該「賞球払出処理」に移行したＣＰＵ５９は、まず、払出処理継続フラグＦ３がセットされているか否か、即ち、賞球払出装置（図示せず）が作動中であるか否かを判別し（ステップＳ２０１）、現時点において賞球払出装置が作動していなければ、次に、入賞数記憶カウンタＣの値が０であるか否かを判別し（ステップＳ２０２）、入賞数記憶カウンタＣに何らかの値が記憶されていれば、賞球払出装置（図示せず）を駆動して１回の入賞に対応する数のパチンコ球の払出しを開始すると共に（ステップＳ２０３）、払出処理継続フラグＦ３に１をセットして賞球払出装置の作動が開始されたことを記憶し、この周期の処理を終了して（ステップＳ２０４）、「ソレノイド駆動処理」に移行する。
　一方、ステップＳ２０１において払出処理継続フラグＦ３がセットされていると判別された場合は、スイッチ検出部６２に賞球払出装置（図示せず）の作動完了信号が記憶されているか否か、即ち、前周期以前の「賞球払出処理」において作動された賞球払出装置の１動作が完了しているか否かを判別し（ステップＳ２０５）、賞球払出装置の動作が完了していれば、１回の入賞に対応する数のパチンコ球の払出しが完了しているので、入賞数記憶カウンタＣの値から１を減じて（ステップＳ２０６）、払出処理継続フラグＦ３をリセットし（ステップＳ２０７）、「ソレノイド駆動処理」に移行する。
　また、ステップＳ２０５で賞球払出装置の動作が完了していない場合は、新規の払出しを開始することはできないので、このまま当該周期の処理を終了して「ソレノイド駆動処理」に移行する。以下、「賞球払出処理」が実行される度に前記と同様の処理が繰返され、入賞数記憶カウンタＣの値が０となるまで賞球払出装置が順次作動することとなる。
　第９図（ａ）及び第９図（ｂ）は「ソレノイド駆動処理」を示すフローチャ−トであり、該「ソレノイド駆動処理」に移行したＣＰＵ５９は、まず、入賞装置３の可動片である羽根２，２が連続開閉中であることを示す連続開放フラグＦ６がセットされているか否かを判別し（ステップＳ３０１）、羽根２，２の連続開閉中でなければ、更に、大入賞口開放フラグＦ４がセットされているか否か、即ち、第２種始動口４，５，６への入賞によって羽根２，２が開放された状態であるか否かを判別する（ステップＳ３０２）。
　そして、大入賞口開放フラグＦ４がセットされていなければ、始動口入賞記憶フラグＦ１，Ｆ２がセットされているか否か、即ち、第２種始動口４，５，６のいずれかにパチンコ球が入球しているか否かを判別し（ステップＳ３０３，ステップＳ３０４）、始動口入賞記憶フラグＦ１，Ｆ２がセットされていなければ、特別入賞口３８への入球を記憶する連続作動口入賞数記憶カウンタＣ１の値が０であるか否かを判別し（ステップＳ３０５）、連続作動口入賞数記憶カウンタＣ１の値が０であれば、これらの判別処理終了後、当該周期における「ソレノイド駆動処理」を終了して再度「入賞球検出処理」に復帰し、以下、「入賞球検出処理」，「賞球払出処理」，「ソレノイド駆動処理」のステップＳ３０１〜ステップＳ３０５に至る判別処理が所定周期毎に実行されることとなる。
　このようにしてＣＰＵ５９が処理を繰返す間に中第２種始動口４にパチンコ球が入賞すると、中第２種始動口スイッチ４ａがパチンコ球の入球を検出し、スイッチ検出部６２の対応ラッチがセットされる。ＣＰＵ５９は「入賞球検出処理」のステップＳ１０１においてスイッチ検出部６２の情報を読込んだ後、中第２種始動口４への入球を確認して（ステップＳ１０２）、始動口入賞記憶フラグＦ１をセットする（ステップＳ１０４）。
　同周期の「ソレノイド駆動処理」におけるステップＳ３０３で始動口入賞記憶フラグＦ１がセットされていることを確認したＣＰＵ５９は、大入賞口開放ソレノイドＳＯＬ１を磁励して可動片である羽根２，２を開放する一方、キャラクターソレノイドＳＯＬ２を磁励して可動部材３１を誘導プレート３０の上面に当接させると共に球径路変動片４３を内壁３５から突出させ（ステップＳ３０６）、タイマＴをスタートさせて計時を開始する一方、始動口入賞記憶フラグＦ１をリセットし、大入賞口開放フラグＦ４をセットする（ステップＳ３０７）。
　次に、タイマＴによって計時された経過時間が、第１１図のタイミングチャートに示されるような設定時間ｔｃ，ｔｂ，ｔａに達したか否かを判別するが（ステップＳ３０８，ステップＳ３０９，ステップＳ３１０）、タイマＴスタート直後の現時点においては、タイマＴによって計時された経過時間Ｔは設定時間ｔａにも満たないので、ステップＳ３０８，ステップＳ３０９，ステップＳ３１０の判別処理終了後、この周期の「ソレノイド駆動処理」を終了する。
　次周期以降の「ソレノイド駆動処理」では、大入賞口開放フラグＦ４が既にセットされているので、ステップＳ３０１，ステップＳ３０２の判別処理を実行した後ステップＳ３０８に移行し、前記と同様、ステップＳ３０８，ステップＳ３０９，ステップＳ３１０の判別処理のみを実行することとなる。
　このようにして、所定周期毎の「ソレノイド駆動処理」が繰返し実行される間に、タイマＴによって計時された経過時間Ｔが設定時間ｔａに達したことが判別されると（ステップＳ３１０）、ＣＰＵ５９は大入賞口開放ソレノイドＳＯＬ１の磁励を解除して羽根２，２を閉じ（ステップＳ３１１）、大入賞口開放フラグＦ５がセットされているか否かを判別するが（ステップＳ３１２）、現在、大入賞口開放フラグＦ５はセットされていないので、ステップＳ３１２の判別処理終了後、当該周期の「ソレノイド駆動処理」を終了する。
　次周期以降で実行される「ソレノイド駆動処理」において、タイマＴによって計時された経過時間Ｔが設定時間ｔｂに達したことが判別されると（ステップＳ３０９）、ＣＰＵ５９は大入賞口開放ソレノイドＳＯＬ１を再び磁励して羽根２，２を開放し（ステップＳ３１３）、更に、タイマＴによって計時された経過時間Ｔが設定時間ｔｃに達したことが判別されると（ステップＳ３０８）、ＣＰＵ５９は大入賞口開放ソレノイドＳＯＬ１の磁励を解除して羽根２，２を閉じる一方、キャラクター駆動ソレノイドＳＯＬ２の磁励を解除して可動部材３１を誘導プレート３０の上面から退避させると共に球径路変動片４３を内壁３５から退避させ（ステップＳ３１４）、タイマＴ及び大入賞口開放フラグＦ４をリセットして（ステップＳ３１５）、当該周期の「ソレノイド駆動処理」を終了する。
　これに対し、左，右第２種始動口５，６のいずれかにパチンコ球が入賞した場合には、左，右第２種始動口スイッチ５ａ，６ａがパチンコ球の入球を検出してスイッチ検出部６２の対応ラッチがセットされ、「入賞球検出処理」のステップＳ１０５で、左，右第２種始動口５，６への入球が確認され、ＣＰＵ５９によって始動口入賞記憶フラグＦ２がセットされる（ステップＳ１０７）。
　同周期の「ソレノイド駆動処理」におけるステップＳ３０４で始動口入賞記憶フラグＦ２がセットされていることを確認したＣＰＵ５９は、大入賞口開放ソレノイドＳＯＬ１を磁励して羽根２，２を開放し（ステップＳ３１６）、タイマＴをスタートさせて計時を開始する一方、始動口入賞記憶フラグＦ２をリセットし、大入賞口開放フラグＦ４及び大入賞口開放フラグＦ５をセットして（ステップＳ３１７）、この周期の「ソレノイド駆動処理」を終了する。
　次周期以降の「ソレノイド駆動処理」では、大入賞口開放フラグＦ４が既にセットされているので、ステップＳ３０１，ステップＳ３０２の判別処理を実行した後ステップＳ３０８に移行し、タイマＴによって計時された経過時間が設定時間ｔｃ，ｔｂ，ｔａに達したか否かを判別するが（ステップＳ３０８，ステップＳ３０９，ステップＳ３１０）、タイマＴスタート直後の現時点においては、タイマＴによって計時された経過時間Ｔは設定時間ｔａにも満たないので、ステップＳ３０８，ステップＳ３０９，ステップＳ３１０の判別処理終了後、この周期の「ソレノイド駆動処理」を終了する。
　次周期以降で実行される「ソレノイド駆動処理」において、タイマＴによって計時された経過時間Ｔが設定時間ｔａに達したことが判別されると（ステップＳ３１０）、ＣＰＵ５９は大入賞口開放ソレノイドＳＯＬ１の磁励を解除して羽根２，２を閉じ（ステップＳ３１１）、大入賞口開放フラグＦ５がセットされているか否かを判別する（ステップＳ３１２）。この場合、左，右第２種始動口５，６への入賞に基いて既に大入賞口開放フラグＦ５がセットされているので、ステップＳ３１２の判別処理終了後ステップＳ３１８に移行し、タイマＴ及び大入賞口開放フラグＦ４，Ｆ５をリセットし、この周期の「ソレノイド駆動処理」を終了する。
　即ち、本実施例においては、中第２種始動口４にパチンコ球が入賞した場合には、設定時間ｔａ（＝Ｅ）の間だけ大入賞口開放ソレノイドＳＯＬ１が磁励されて羽根２，２が開放された後、該羽根２，２が設定時間ｔｂ−ｔａの間だけ閉じられ、更に、設定時間ｔｃ−ｔｂ（＝Ｅ）の間だけ開放されると共に、キャラクターソレノイドＳＯＬ２はこの間常に磁励され、設定時間ｔｃが経過するまでの間、可動部材３１が誘導プレート３０の上面に当接され、かつ、球径路変動片４３が内壁３５から突出する一方（第１０図のタイミングチャート参照）、左，右第２種始動口５，６にパチンコ球が入賞した場合には、設定時間ｔａ（＝Ｅ）の間だけ大入賞口開放ソレノイドＳＯＬ１が磁励されて羽根２，２のみが開放されるようになっている。
　このようにして羽根２，２が開放されると入賞装置３内への入球が可能な状態となり、入賞装置３内にパチンコ球が入球した場合、これらのパチンコ球は、最終的に、入賞空間２６内に配設された各種の入賞口、即ち、特別入賞口３８もしくは入賞口３９，４０に入賞することとなり、これらの入賞口に配設された検出スイッチが入賞状態に応じてスイッチ検出部６２のラッチをセットすると共に、該スイッチ検出部６２に記憶された入賞情報は、前記した「入賞球検出処理」においてＣＰＵ５９により確認されることとなる。
　入賞装置３内に入球したパチンコ球の流れについて簡単に説明すると、該入賞装置３に入球したパチンコ球は、まず、入賞空間２６に入って誘導プレート３０上に落下するが、この際、キャラクターソレノイドＳＯＬ２が磁励された状態にあれば、水平断面で楔形状を有する可動部材３１が誘導プレート３０の上面に当接されているので、誘導プレート３０上を転動するパチンコ球は可動部材３１の楔形状の先端部に当たって左右方向に振分けられ、誘導プレート３０の後縁から落下し、隔壁３６によって仕切られた後方側の下部空間２６ｂに入る確率が高い。
　また、キャラクターソレノイドＳＯＬ２が磁励された状態では、球径路変動片４３が内壁３５から内側に突出しているので、後方側の下部空間２６ｂに入ったパチンコ球は、内壁３５，隔壁３６及び回転ドラム３２の周壁３２ｃで囲まれる空間に一時的に貯留されることとなる。回転ドラム３２の回転は電源投入と同時に既に開始されているので、内壁３５，隔壁３６及び回転ドラム３２の周壁３２ｃで囲まれた空間に貯留されたパチンコ球は、周壁３２ｃにおける欠切部３２ｂ，３２ｂが左右方向を向いた状態で該欠切部３２ｂ，３２ｂを介して回転ドラム３２の内側に取込まれ、該回転ドラム３２の回転軸３３に回動自在に軸支され、かつ、回転軸３３との間に存在する摩擦によって回転ドラム３２と共に回転する回転体３４のフィン３４ａに当接し、回転軸３３に対する回転体３４の回転位置の位相を変化させる。
　回転ドラム３２が更に回転し、欠切部３２ｂ，３２ｂの内の一方が下死点近傍に到達すると、回転ドラム３２内のパチンコ球は前記一方の欠切部３２ｂを介して底面４１上に吐出され、隔壁３６によって仕切られた手前側の空間の誘導プレート３７上を手前に向かって転勤し、最終的に、特別入賞口３８もしくは入賞口３９，３９のいずれかに入賞する。
　また、内壁３５，隔壁３６及び回転ドラム３２の周壁３２ｃで囲まれた空間に一時的に貯留されたパチンコ球が回転ドラム３２の内側に取込まれる前にキャラクターソレノイドＳＯＬ２の磁励が解除されて球径路変動片４３が内壁３５から退避した場合には、該球径路変動片４３によって下部を支持されていたパチンコ球はそのまま落下し、隔壁３６によって仕切られた後方側の下部空間２６ｂの左右下端に設けられた入賞口４０に入賞することになる。
　一方、パチンコ球が入賞空間２６に入った段階でキャラクターソレノイドＳＯＬ２が非磁励の状態にあれば、可動部材３１は誘導プレート３０の上方に退避しており、パチンコ球は可動部材３１の干渉を受けることなく誘導プレート３０上を転動した後、誘導プレート３０の後縁から落下して隔壁３６によって仕切られた後方側の下部空間２６ｂに入る。
　誘導プレート３０の後縁略中央部から落下したパチンコ球は、回転ドラム３２の周壁３２ｃにおける欠切部３２ｂ，３２ｂが左右方向を向いた状態であれば、該周壁３２ｃの外周面上に落下して左右方向に振分けられ、通常、隔壁３６によって仕切られた後方側の下部空間２６ｂの左右下端に設けられた入賞口４０に入賞するが、該パチンコ球の振分けられた方向が回転ドラム３２の回転方向と逆である場合には、周壁３２ｃの外周面に落下してリバウンドするパチンコ球が再落下するタイムラグの間に周壁３２ｃにおける一方の欠切部３２ｂが上死点側に回転するなどして、該欠切部３２ｂを介してパチンコ球が回転ドラム３２内に取込まれることもある。
　この場合、回転ドラム３２内に取込まれたパチンコ球は、回転ドラム３２と共に回転する回転体３４のフィン３４ａに当り、回転軸３３に対する回転体３４の回転位置の位相を変化させた後、他方の欠切部３２ｂを介して底面４１上に吐出され、隔壁３６によって仕切られた手前側の空間の誘導プレート３７上を手前に向かって転動し、最終的に、特別入賞口３８もしくは入賞口３９，３９のいずれかに入賞する。また、誘導プレート３０の後縁左右の端部から落下したパチンコ球は、そのまま鉛直方向に落下し、隔壁３６によって仕切られた後方側の下部空間２６ｂの左右下端に設けられた入賞口４０に入賞することになる。
　そして、パチンコ球が特別入賞口３８に入球した場合には、役物連続作動スイッチ３８ａがパチンコ球の入球を検出し、スイッチ検出部６２の対応ラッチをセットし、ＣＰＵ５９は「入賞球検出処理」のステップＳ１０１においてスイッチ検出部６２の情報を読込んだ後、特別入賞口３８への入球を確認し（ステップＳ１０８）、連続作動口入賞数記憶カウンタＣ１に１を加えることにより特別入賞口３８への入賞回数を記憶する（ステップＳ１０９）。
　同周期の「ソレノイド駆動処理」におけるステップＳ３０５で連続作動口入賞数記憶カウンタＣ１に数値が記憶されていることを確認したＣＰＵ５９は、タイマＴをスタートさせて計時を開始すると共に、大入賞口開放ソレノイドＳＯＬ１の切替動作を記憶するソレノイド切替シグナルＳ，設定時間選択指標ｉ及び連続開放フラグＦ６に各々１をセットし（ステップＳ３１９）、以下、大入賞口開放ソレノイドＳＯＬ１，キャラクターソレノイドＳＯＬ２，モータＭの駆動継続時間や駆動休止時間等を記憶したＲＯＭ６０の設定値に基いて、可動片である羽根２，２を駆動する大入賞口開放ソレノイドＳＯＬ１等の駆動処理を開始することとなる。
　ＣＰＵ５９は、まず、切替時間ｔｉのタイミングチャート（第１１図参照）を記憶したＲＯＭ６０から第ｉ回目の切替時間ｔｉを読込んで切替時間記憶レジスタＲ（ｔ）に記憶し（ステップＳ３２０）、タイマＴによって計時された経過時間Ｔが、切替時間記憶レジスタＲ（ｔ）の値、即ち、第ｉ回目の切替時間ｔｉに達したか否かを判別するが（ステップＳ３２１）、タイマＴによって計時された経過時間Ｔが第ｉ回目の切替時間ｔｉに達していなければ、次いで、ステップＳ３２２に移行して大入賞口入賞数記憶カウンタＣ２の値が３であるか否か、即ち、入賞装置３に３個のパチンコ球が入賞しているか否かを判別する。大入賞口入賞数記憶カウンタＣ２の値が３であれば、キャラクターソレノイドＳＯＬ２を磁励して可動部材３１を誘導プレート３０の上面に当接させると共に球径路変動片４３を内壁３５から突出させる一方（ステップＳ３２３）、大入賞口入賞数記憶カウンタＣ２の値が３以外のものであれば、該ステップＳ３２３の処理は実行せずにステップＳ３２４に移行する。次いで、大入賞口入賞数記憶カウンタＣ２の値が７であるか否か、即ち、入賞装置３に７個のパチンコ球が入賞しているか否かを判別し（ステップＳ３２４）、大入賞口入賞数記憶カウンタＣ２の値が７であれば、該カウンタＣ２の値が３となったことを検出した時点で磁励されたキャラクターソレノイドＳＯＬ２の磁励を解除して可動部材３１を誘導プレート３０の上方に退避させると共に球径路変動片４３を内壁３５から退避させ、かつ、モータＭの駆動を停止して、回転ドラム３２及び回転体３４の駆動を停止させる（ステップＳ３２５）。
　この場合、回転体定位置検出スイッチ５７からの定位置検出信号の入力を確認することにより、回転ドラム３２の欠切部３２ｂ，３２ｂが第３図に示されるように上下方向を向いた状態で該回転ドラム３２の駆動を停止するようにしているので、回転ドラム３２内に一旦取込まれたパチンコ球が特別入賞口３８に入賞する確率が大きくなる。また、大入賞口入賞数記憶カウンタＣ２の値が７以外のものであれば、該ステップＳ３２５の処理は実行せずにステップＳ３２６に移行する。次いで、大入賞口入賞数記憶カウンタＣ２の値が１０以上であるか否か、即ち、入賞装置３に１０個以上のパチンコ球が入賞しているか否かを判別し（ステップＳ３２６）、大入賞口入賞数記憶カウンタＣ２の値が１０以上であれば、大入賞口開放ソレノイドＳＯＬ１の磁励を解除して羽根２，２を閉鎖すると共に（ＳＯＬ１が磁励されていた場合）、キャラクター駆動ソレノイドＳＯＬ２の磁励を解除して可動部材３１を誘導プレート３０の上方に退避させ（ＳＯＬ２が磁励されていた場合）（ステップＳ３２７）、大入賞口入賞数記憶カウンタＣ２の値が７となったことを検出した時点で停止されたモータＭの駆動を再開して回転ドラム３２及び回転体３４の回転駆動を再開し（ステップＳ３２８）、連続作動口入賞数記憶カウンタＣ１の値から１を減じて、特別入賞口３８への入賞に基く１連続開放動作が完了したことを記憶し、当該１連続開放動作中に入賞装置３に入賞したパチンコ球の数を記憶する大入賞口入賞数記憶カウンタＣ２及び１連続開放動作中であることを記憶する連続開放フラグＦ６をリセットし（ステップＳ３２９）、タイマＴをリセットして（ステップＳ３３０）、パチンコ機の動作状態を初期状態に復帰させ、この周期の「ソレノイド駆動処理」を終了する。なお、連続作動口入賞数記憶カウンタＣ１の値はリセットされないので、該カウンタＣ１の値が「ソレノイド駆動処理」のステップ３０５で確認される度に羽根２，２の連続開放動作が繰返し実行されることとなるが、本実施例においては、１連続開放動作中に特別入賞口３８に入球したパチンコ球に基く連続開放動作の繰返し回数は１０回までに限定されている。また、ステップＳ３２６において大入賞口入賞数記憶カウンタＣ２の値が１０未満であると判別された場合は、前記ステップＳ３２７〜ステップＳ３３０に至る処理は実行されず、ステップＳ３２６の判別処理終了後、この周期の「ソレノイド駆動処理」が終了することとなる。
　一方、ステップＳ３２１において、タイマＴによって計時された経過時間Ｔが第ｉ回目の切替時間ｔｉに達したと判別された場合には、次いで、ソレノイド切替シグナルＳの値が１であるか−１であるかを判別する（ステップＳ３３１）。ソレノイド切替シグナルＳの値が１であれば、第１１図に示されるように、ｉ＝１，３，５…、即ち、大入賞口開放ソレノイドＳＯＬ１を磁励して可動片である羽根２，２を開放すべき時間であるから、ステップＳ３３２に移行して大入賞口開放ソレノイドＳＯＬ１を磁励して羽根２，２を開放する一方、ソレノイド切替シグナルＳの値が−１であれば、第１１図に示されるように、ｉ＝２，４，６…、即ち、大入賞口開放ソレノイドＳＯＬ１の磁励を解除して羽根２，２を閉鎖すべき時間であるから、ステップＳ３３３に移行して大入賞口開放ソレノイドＳＯＬ１の磁励を解除して羽根２，２を閉鎖する。例えば、設定時間選択指標ｉの値が１であればソレノイド切替シグナルＳの値は１であり、ステップＳ３２１において、タイマＴによって計時された経過時間Ｔが第１回目の切替時間ｔ１に達したと判別された現時点において、ソレノイド切替シグナルＳ（＝１）の値に基き、羽根２，２の第１回目の開放が実行されることとなる（第１１図参照）。
　次に、設定時間選択指標ｉの値が１０であるか否か、すなわち、この処理周期が羽根２，２の第５回目の閉鎖を実行する周期であるか否かを判別し（ステップＳ３３４）、設定時間選択指標ｉの値が１０であればキャラクター駆動ソレノイドＳＯＬ２を磁励し、羽根２，２の第５回目の閉鎖と共に可動部材３１を誘導プレート３０の上面に当接させ、かつ、球径路変動片４３を内壁３５に突出させる一方（ステップＳ３３５）、設定時間選択指標ｉの値が１０以外のものであれば、該ステップＳ３３５の処理は実行せずにステップＳ３３６に移行する。次いで、設定時間選択指標ｉの値が２９であるか否か、すなわち、この処理周期が羽根２，２の第１５回目の開放を実行する周期であるか否かを判別し（ステップＳ３３６）、設定時間選択指標ｉの値が２９であれば、羽根２，２の第５回目の閉鎖に伴って磁励されたキャラクター駆動ソレノイドＳＯＬ２の磁励を解除し、羽根２，２の第１５回目の開放と共に可動部材３１を誘導プレート３０の上面から退避させ、更に、球径路変動片４３を内壁３５から退避させ、また、モータＭの駆動を停止して回転ドラム３２及び回転体３４の駆動を停止させる（ステップＳ３４１）。
　また、設定時間選択指標ｉの値が２９以外のものであれば、該ステップＳ３４１の処理は実行せずにステップＳ３３７に移行する。次いで、設定時間選択指標ｉの値が３６であるか否か、すなわち、この処理周期が羽根２，２の第１８回目の閉鎖を実行する周期であるか否かを判別し（ステップＳ３３７）、設定時間選択指標ｉの値が３６でなければステップＳ３３８に移行する。
　次いで、設定時間選択指標ｉの値に１を加えて更新し（ステップＳ３３８）、該指標ｉの値に基いてＲＯＭ６０から第ｉ回目の切替時間ｔｉを読込んで切替時間記憶レジスタＲ（ｔ）に記憶し（ステップＳ３３９）、ソレノイド切替シグナルＳの符号を反転し（ステップＳ３４０）、この周期の「ソレノイド駆動処理」を終了する。従って、ソレノイド切替シグナルＳの符号は、タイマＴによって計時された経過時間ＴがＲＯＭ６０に記憶された切替時間ｔｉに達して大入賞口開放ソレノイドＳＯＬ１の切替が実行される毎に順次反転されることとなり、大入賞口開放ソレノイドＳＯＬ１はＲＯＭ６０に記憶されたタイミングチャート（第１１図参照）に基いて駆動され、可動片である羽根２，２の連続開放動作が実行されることとなる。
　また、ステップＳ３３７で設定時間選択指標ｉの値が３６であると判別された場合には、この周期の「ソレノイド駆動処理」で既に第１８回目の羽根２，２の閉鎖が実行されたことを意味し、本実施例における羽根２，２の連続開放動作が全て完了するので、ステップＳ３２８に移行して羽根２，２の第１５回目の開放に伴って停止されたモータＭの駆動を再開し、回転ドラム３２及び回転体３４の回転駆動を再開し、連続作動口入賞数記憶カウンタＣ１の値から１を減じて、特別入賞口３８への入賞に基く１連続開放動作が完了したことを記憶し、当該１連続開放動作中に入賞装置３に入賞したパチンコ球の数を記憶する大入賞口入賞数記憶カウンタＣ２及び１連続開放動作中であることを記憶する連続開放フラグＦ６をリセットし（ステップＳ３２９）、タイマＴをリセットして（ステップＳ３３０）、パチンコ機の動作状態を初期状態に復帰させ、この周期の「ソレノイド駆動処理」を終了する。
　以上に述べたように、可動片である羽根２，２を駆動する大入賞口開放ソレノイドＳＯＬ１は、第１１図のタイミングチャートに示されるように、ＲＯＭ６０に記憶された設定時間ｔｉに基いて駆動制御されるが、本実施例においては、駆動継続時間、即ち、羽根２，２の開放時間のインクリメンタル量を時間Ａに設定する一方、駆動休止時間、即ち、羽根２，２の閉鎖時間のインクリメンタル量をＡ，Ｂ，Ｃ，Ｄの４種に設定することにより羽根２，２の動作を多様化するようにしている。本実施例の場合、羽根２，２の開放時間及び閉鎖時間は、設定時間ｔｉとｔｉ（ｉ＝ｉ＋１）との時間差によって決定されるものであるから、設定時間ｔｉを変化させることによって羽根２，２の開放時間及び閉鎖時間を任意に設定できることは無論である。たとえば、本実施例のように、羽根２，２の開放時間を一定として閉鎖時間のみを変化させてもよく、また、羽根２，２の閉鎖時間を一定として開放時間のみを変化させたり、閉鎖時間及び開放時間共に変化させるようにしてもよい。
　また、本実施例においては、可動部材３１と球径路変動片４３を駆動するキャラクターソレノイドＳＯＬ２や回転ドラム３２と回転体３４を駆動するモータＭも、基本的には、ＲＯＭ６０に記憶された設定時間ｔｉに基いて駆動制御されているので、これら可動部材３１，球径路変動片４３及び回転ドラム３２，回転体３４の動作も、たとえば、ステップＳ３３４やステップＳ３３６において設定時間選択指標ｉに対する比較値を変更することにより、適宜制御することができる。
　また、可動部材３１，球径路変動片４３及び回転ドラム３２，回転体３４をそれぞれ第二，第三の可動片とし、羽根２，２とは別に複数の駆動時間及び駆動休止時間を設定して駆動制御するようにしても良い。例えば、本実施例の「ソレノイド駆動処理」を示す第９図（ｂ）におけるステップＳ３３５とステップＳ３３６との間に、設定時間選択指標ｉの値に基いてキャラクターソレノイドＳＯＬ２やモータＭの切替えを実行するステップを追加すれば、実質的に、キャラクターソレノイドＳＯＬ２やモータＭの駆動時間及び駆動休止時間を複数種設定した場合と同様の効果を得ることができる。
　なお、第１１図に示されるタイミングチャートは、大入賞口開放ソレノイドＳＯＬ１，キャラクターソレノイドＳＯＬ２，モータＭの基本的な動作状態を示すものであり、特に、キャラクターソレノイドＳＯＬ２及びモータＭに関しては、必ずしも第１１図に示されるようなタイミングで動作の切替えが実行されるとは限らない。
　即ち、羽根２，２の連続開放動作が開始された後、羽根２，２の第５回目の閉鎖が実行されるよりも早い時期に入賞装置３にパチンコ球が３個入賞した場合には、羽根２，２の第５回目の閉鎖を待つことなくキャラクターソレノイドＳＯＬ２が磁励されるし（ステップＳ３２３）、また、羽根２，２の第１５回目の開放が実行されるよりも早い時期に入賞装置３にパチンコ球が７個入賞した場合には、羽根２，２の第１５回目の開放を待つことなくキャラクターソレノイドＳＯＬ２の磁励が解除され、モータＭの駆動が停止されることとなる（ステップＳ３２５）。
　また、羽根２，２の第１８回目の閉鎖が実行されるよりも早い時期に入賞装置３にパチンコ球が１０個以上入賞した場合には、羽根２，２の第１８回目の閉鎖を待つことなく１連続開放動作が完了されるものであり（ステップＳ３２７〜ステップＳ３３０）、本実施例においては、キャラクターソレノイドＳＯＬ２及びモータＭの時間制御に加え、更に、入賞装置３内への入賞数に基く制御を併用することにより、可動片３１，球径路変動片４３，回転ドラム３２，回転体３４等のより多用な動作を可能としている。
　発明の効果
　本発明のパチンコ機の入賞装置によれば、入賞空間に流入したパチンコ球を一時的に貯留部に貯留すると共に、貯留部に貯留したパチンコ球を可動部材によって特別入賞口が配置されている側に誘導する棚板上に開放することにより、入賞空間に流入したパチンコ球の通過態様に変化を持たすことができると共に、貯留されているパチンコ球の全てに特別入賞口への可能性を与えることができ、この結果、特別入賞口への入賞を望む遊技者の期待感を、パチンコ球が貯留されていても減らすことなく持続させることができ、より趣興性の高いゲーム展開が可能となる。
【図面の簡単な説明】
　第１図は本発明の一実施例のパチンコ機の入賞装置の要部を示す部分破断斜視図、
　第２図は同実施例の入賞装置の駆動ユニットの要部を示す正面図、
　第３図は同実施例の入賞装置の回転ドラムとカムとの関係を示す概略図、
　第４図は同実施例の入賞装置の制御系要部を示すブロック図、
　第５図は同実施例のパチンコ機の遊技盤面を示す正面図、
　第６図は同実施例における処理動作を全体的に示すフローチャート、
　第７図は同実施例の入賞球検出処理を示すフローチャート、
　第８図は同実施例の賞球払出処理を示すフローチャート、
　第９図（ａ）及び第９図（ｂ）は同実施例におけるソレノイド駆動処理を示すフローチャート、
　第１０図は同実施例の可動片の動作例を示すタイミングチャート、
　第１１図は同実施例の可動片の連続開放動作例を示すタイミングチャートである。
　１…遊技盤、２…可動片としての羽根、３…入賞装置、４…中第２種始動口、
４ａ…中第２種始動口スイッチ、５…左第２種始動口、
５ａ…左第２種始動口スイッチ、６…右第２種始動口、
６ａ…右第２種始動口スイッチ、７…左チューリップ式役物、
８…右チューリップ式役物、９…風車、１０…左入賞口、１１…右入賞口、
１２…アウト球受口、１３…外側球誘導レール、１４…内側球誘導レール、
１５…返しゴム、１６，１７，１８，１９，２０，２１…表示灯、
２２…装飾ＬＥＤ、２３…連続回数表示ＬＥＤ、
２４…大入賞口入賞数表示ＬＥＤ、２５…スピーカ、２６…入賞空間、
２６ａ…上部空間、２６ｂ…下部空間、２７…前面ユニット部、
２８…駆動ユニット部、２９…駆動ユニット部、３０…誘導プレート、
３１…可動部材、３２…回転ドラム、３２ｂ…欠切部、３２ｃ…周壁、
３３…回転軸、３４…回転体、３４ａ…フィン、３５…内壁、３６…隔壁、
３７…誘導プレート、３８…特別入賞口、３８ａ…役物連続作動スイッチ、
３９，４０…入賞口、４１…底面、４２…大入賞口入賞検出スイッチ、
４３…球径路変動片、４４…アクチュエータ、４５…作動片、４６…長孔、
４７…正面プレート、４８…嵌合部材、４９…作動板、５０…係合突起、
５１，５２…軸、５３…アーム、５４…孔、５５…係合ピン、５６…カム、
５６ａ…欠切部、５７…回転体位置検出スイッチ、５７ａ…アクチュエータ、
５８…制御装置、５９…マイクロプロセッサ、６０…ＲＯＭ、６１…ＲＡＭ、
６２…スイッチ検出部、６３，６４…ソレノイド駆動部、６５…モータ駆動部、
ＳＯＬ１…駆動手段としての大入賞口開放ソレノイド、
ＳＯＬ２…キャラクターソレノイド、Ｍ…モータ、
ＳＣ…スキャニングカウンタ、Ｃ…入賞数記憶カウンタ、
Ｃ１…連続作動口入賞数記憶カウンタ、Ｃ２…大入賞口入賞数記憶カウンタ、
Ｆ１，Ｆ２…始動口入賞記憶フラグ、Ｆ３…払出処理継続フラグ、
Ｆ４，Ｆ５…大入賞口開放フラグ、Ｆ６…連続開放フラグ、
Ｓ…ソレノイド切替シグナル、ｉ…設定時間選択指標、Ｔ…タイマ、
Ｒ（ｔ）…切替時間記憶レジスタ。